(57)【要約】【課題】  使用環境に応じた情報を出力する。【解決手段】  携帯電話は、ビジネスモードとプライベートモードとのいずれかにモードを切換えるための切換指示の入力を受け付ける操作部と、切換指示の受付に応じて、ビジネスモードとプライベートモードとのいずれかに切換えるモード切換部と、ビジネスモード用の第１応答メッセージとプライベートモード用の第１応答メッセージとをビジネスモードおよびプライベートモードにそれぞれ関連付けて記憶するＥＥＰＲＯＭと、ビジネスモードに切換えられているときは第１応答メッセージを再生し（Ｓ０５）、プライベートモードに切換えられているときは第２応答メッセージを再生する（Ｓ０６）出力手段とを備える。【選択図】        図６
2007266982.tif 000002
【特許請求の範囲】
【請求項１】
第１のモードと第２のモードとのいずれかにモードを切換えるための切換指示の入力を受け付ける指示受付手段と、
前記切換指示の受付に応じて、第１のモードと第２のモードとのいずれかに切換える切換手段と、
同一種類の第１の情報と第２の情報とを前記第１のモードおよび前記第２のモードにそれぞれ関連付けて記憶する記憶手段と、
前記第１のモードに切換えられているときは前記第１の情報を出力し、前記第２のモードに切換えられているときは前記第２の情報を出力する出力手段と、を備えた携帯情報端末。
【請求項２】
着呼を検出する着呼検出手段と、
前記検出された着呼に応答する応答手段とをさらに備え、
前記記憶手段は、前記第１のモードに関連付けた第１応答メッセージと前記第２のモードに関連付けた第２応答メッセージとを記憶する応答メッセージ記憶手段を含み、
前記出力手段は、前記第１のモードに切換えられているときは、前記応答手段が応答することに応じて前記第１の応答メッセージを再生し、前記第２のモードに切換えられているときは、前記応答手段が応答することに応じて前記第２の応答メッセージを再生する再生手段を含む、請求項１に記載の携帯情報端末。
【請求項３】
着呼を検出する着呼検出手段と、
前記検出された該着呼に応答する応答手段とをさらに備え、
前記記憶手段は、通信先の通信先情報を少なくとも含む複数の電話帳データそれぞれを前記第１のモードおよび前記第２のモードのいずれかと関連付けて記憶する電話帳データ記憶手段と、
前記第１のモードに関連付けた第１拒否応答メッセージと前記第２のモードに関連付けた第２拒否応答メッセージとを記憶する拒否応答メッセージ記憶手段とを含み、
前記応答手段は、前記第１のモードに切換えられているときは、前記電話帳データ記憶手段により前記第２のモードに関連付けられた前記通信先情報を含む着呼が検出された場合に応答し、前記第２のモードに切換えられているときは、前記電話帳データ記憶手段により前記第１のモードに関連付けられた通信先情報を含む着呼が検出された場合に応答し、
前記出力手段は、前記応答手段が応答することに応じて、前記第１のモードに切換えられているときは前記第１拒否応答メッセージを再生し、前記第２のモードに切換えられているときは前記第２拒否応答メッセージを再生する再生手段を含む、請求項１に記載の携帯情報端末。
【請求項４】
前記第１の情報と前記第２の情報の入力を受け付ける情報受付手段と、
前記第１の情報および前記第２の情報のいずれであるかを識別するための識別情報の入力を受け付ける識別情報受付手段と、
前記受け付けられた識別情報と前記受け付けられた情報とを関連付ける関連付手段と、をさらに備えた請求項１に記載の携帯情報端末。
【請求項５】
音声を受け付けて音声データを出力する音声データ出力手段と、
日時情報の指定を受け付ける日時指定受付手段と、
前記受け付けられた日時情報と前記出力された音声データとを関連付けたスケジュールデータを生成するスケジュールデータ生成手段と、
前記スケジュールデータが前記第１の情報および前記第２の情報のいずれであるかを識別するための識別情報の入力を受け付ける識別情報受付手段とをさらに備え、
前記記憶手段は、前記受け付けられた識別情報と前記生成されたスケジュールデータとを関連付けて記憶するスケジュールデータ記憶手段を含み、
前記出力手段は、日時情報を含む出力指示を受け付ける出力指示受付手段と、
前記出力指示の受付に応じて、前記第１のモードに切換えられているときは、該出力指示に含まれる前記日時情報を含むスケジュールデータのうち前記第１の情報を示す前記識別情報が関連付けられたスケジュールデータを抽出し、前記第２のモードに切換えられているときは、該出力指示に含まれる前記日時情報を含むスケジュールデータのうち前記第２の情報を示す前記識別情報と関連付けられたスケジュールデータを抽出するスケジュールデータ抽出手段と、
前記抽出されたスケジュールデータに含まれる前記音声データを再生する再生手段とを含む、請求項１に記載の携帯情報端末。
【請求項６】
音声を受け付けて音声データを出力する音声データ出力手段と、
日時情報の指定を受け付ける日時指定受付手段と、
前記受け付けられた日時情報と前記音声データとを関連付けたスケジュールデータを記憶するスケジュール記憶手段と、
日時情報を含む出力指示を受け付ける出力指示受付手段と、
前記出力指示の受付に応じて、該出力指示に含まれる前記日時情報に関連付けられた前記音声データを再生する再生手段と、を備えた携帯情報端末。
【請求項７】
第１のモードと第２のモードとのいずれかにモードを切換える切換手段と、
予め定められた処理を実行するための処理実行手段と、
前記処理実行手段が前記第１のモードで処理を実行して得られる第１の処理結果情報を記憶する第１記憶手段と、
前記処理実行手段が前記第２のモードで処理を実行して得られる第２の処理結果情報を記憶する第２記憶手段と、
前記第１のモードに切換えられているときは前記第１の処理結果情報を出力し、前記第２のモードに切換えられているときは前記第２の処理結果情報を出力する出力手段とを備えた、携帯情報端末。
【発明の詳細な説明】
【技術分野】
【０００１】
この発明は、携帯情報端末に関し、特に複数の使用環境で使用される携帯情報端末に関する。
【背景技術】
【０００２】
携帯電話機は多機能化が進み、種々のデータを記憶することができる。例えば、発着信の履歴を管理する機能（例えば、特許文献１）、スケジュールを管理する機能（例えば、特許文献２）、または音声のメッセージを再生して通話の相手に送信する機能（例えば、特許文献３）等を携帯電話機は備えている。
【０００３】
しかしながら、１台の携帯電話機を、会社の業務のために使用する場合と、私用で使用する場合とがある。この場合、同一種類のデータに個人的なものと業務用のものとが混在してしまうといった問題がある。例えば、電話帳データ、発着信履歴データおよびスケジュール管理用のデータが、私的なデータと業務用のデータとが混在してしまう。このため、業務中にデータを検索する場合に、業務用のデータに加えて私的なデータが表示されてしまったり、逆に、業務時間外にデータを検索する場合に、私的なデータに加えて業務用のデータが表示されてしまったりする。
【特許文献１】特開２００４−２３４９４号公報
【特許文献２】特開２００５−２３６４２５号公報
【特許文献３】特開２００６−６７０３７号公報
【発明の開示】
【発明が解決しようとする課題】
【０００４】
この発明は上述した問題点を解決するためになされたもので、この発明の目的の一つは、使用環境に応じた情報を出力することが可能な携帯情報端末を提供することである。
【０００５】
この発明の他の目的は、スケジュールの確認を容易にした携帯情報端末を提供することである。
【課題を解決するための手段】
【０００６】
上述した目的を達成するためにこの発明のある局面によれば、携帯情報端末は、第１のモードと第２のモードとのいずれかにモードを切換えるための切換指示の入力を受け付ける指示受付手段と、切換指示の受付に応じて、第１のモードと第２のモードとのいずれかに切換える切換手段と、同一種類の第１の情報と第２の情報とを第１のモードおよび第２のモードにそれぞれ関連付けて記憶する記憶手段と、第１のモードに切換えられているときは第１の情報を出力し、第２のモードに切換えられているときは第２の情報を出力する出力手段と、を備える。
【０００７】
この局面に従えば、同一種類の第１の情報と第２の情報とが第１のモードおよび第２のモードにそれぞれ関連付けて記憶されており、第１のモードに切換えられているときは第１の情報が出力され、第２のモードに切換えられているときは第２の情報が出力される。このため、同一種類の情報であってもモードを切り換える簡単な操作で出力する情報を異ならせることができる。その結果、使用環境に応じた情報を出力することが可能な携帯情報端末を提供することができる。
【０００８】
好ましくは、着呼を検出する着呼検出手段と、検出された着呼に応答する応答手段とをさらに備え、記憶手段は、第１のモードに関連付けた第１応答メッセージと第２のモードに関連付けた第２応答メッセージとを記憶する応答メッセージ記憶手段を含み、出力手段は、第１のモードに切換えられているときは、応答手段が応答することに応じて第１の応答メッセージを再生し、第２のモードに切換えられているときは、応答手段が応答することに応じて第２の応答メッセージを再生する再生手段を含む。
【０００９】
この局面に従えば、第１のモードに関連付けた第１応答メッセージと第２のモードに関連付けた第２応答メッセージとが記憶され、第１のモードに切換えられているときは、第１の応答メッセージが再生され、第２のモードに切換えられているときは、第２の応答メッセージが再生される。このため、使用環境に応じた応答メッセージを再生することができる。
【００１０】
好ましくは、着呼を検出する着呼検出手段と、検出された該着呼に応答する応答手段とをさらに備え、記憶手段は、通信先の通信先情報を少なくとも含む複数の電話帳データそれぞれを第１のモードおよび第２のモードのいずれかと関連付けて記憶する電話帳データ記憶手段と、第１のモードに関連付けた第１拒否応答メッセージと第２のモードに関連付けた第２拒否応答メッセージとを記憶する拒否応答メッセージ記憶手段とを含み、応答手段は、第１のモードに切換えられているときは、電話帳データ記憶手段により第２のモードに関連付けられた通信先情報を含む着呼が検出された場合に応答し、第２のモードに切換えられているときは、電話帳データ記憶手段により第１のモードに関連付けられた通信先情報を含む着呼が検出された場合に応答し、出力手段は、応答手段が応答することに応じて、第１のモードに切換えられているときは第１拒否応答メッセージを再生し、第２のモードに切換えられているときは第２拒否応答メッセージを再生する再生手段を含む。
【００１１】
この局面に従えば、第１のモードに切換えられているときは、第２のモードに関連付けられた通信先情報を含む着呼が検出された場合に応答し、第１拒否応答メッセージが再生され、第２のモードに切換えられているときは、第１のモードに関連付けられた通信先情報を含む着呼が検出された場合に応答し、第２拒否応答メッセージが再生される。このため、使用環境に応じて自動的に応答させ、適切なメッセージを通信相手に伝えることができる。
【００１２】
好ましくは、第１の情報と第２の情報の入力を受け付ける情報受付手段と、第１の情報および第２の情報のいずれであるかを識別するための識別情報の入力を受け付ける識別情報受付手段と、受け付けられた識別情報と受け付けられた情報とを関連付ける関連付手段と、をさらに備える。
【００１３】
好ましくは、音声を受け付けて音声データを出力する音声データ出力手段と、日時情報の指定を受け付ける日時指定受付手段と、受け付けられた日時情報と出力された音声データとを関連付けたスケジュールデータを生成するスケジュールデータ生成手段と、スケジュールデータが第１の情報および第２の情報のいずれであるかを識別するための識別情報の入力を受け付ける識別情報受付手段とをさらに備え、記憶手段は、受け付けられた識別情報と生成されたスケジュールデータとを関連付けて記憶するスケジュールデータ記憶手段を含み、出力手段は、日時情報を含む出力指示を受け付ける出力指示受付手段と、出力指示の受付に応じて、第１のモードに切換えられているときは、該出力指示に含まれる日時情報を含むスケジュールデータのうち第１の情報を示す識別情報が関連付けられたスケジュールデータを抽出し、第２のモードに切換えられているときは、該出力指示に含まれる日時情報を含むスケジュールデータのうち第２の情報を示す識別情報が関連付けられたスケジュールデータを抽出するスケジュールデータ抽出手段と、抽出されたスケジュールデータに含まれる音声データを再生する再生手段とを含む。
【００１４】
この局面に従えば、日時情報と音声データとを関連付けたスケジュールデータが生成され、スケジュールデータが識別情報と関連付けて記憶される。出力指示の受付に応じて、第１のモードに切換えられているときは、該出力指示に含まれる日時情報を含むスケジュールデータのうち第１の情報を示す識別情報が関連付けられたスケジュールデータが抽出されて、第２のモードに切換えられているときは、該出力指示に含まれる日時情報を含むスケジュールデータのうち第２の情報を示す識別情報が関連付けられたスケジュールデータが抽出される。このため、使用環境に応じたスケジュールを音声で出力することができる。
【００１５】
この発明の他の局面によれば、携帯情報端末は、音声を受け付けて音声データを出力する音声データ出力手段と、日時情報の指定を受け付ける日時指定受付手段と、受け付けられた日時情報と音声データとを関連付けたスケジュールデータを記憶するスケジュール記憶手段と、日時情報を含む出力指示を受け付ける出力指示受付手段と、出力指示の受付に応じて、該出力指示に含まれる日時情報に関連付けられた音声データを再生する再生手段と、を備える。
【００１６】
この局面に従えば、日時情報と音声データとを関連付けたスケジュールデータが記憶され、日時情報を含む出力指示が受け付けられると、日時情報に関連付けられた音声データが再生される。このため、スケジュールを音声で出力することができる。その結果、スケジュールの確認を容易にした携帯情報端末を提供することができる。
【００１７】
この発明のさらに他の局面によれば、携帯情報端末は、第１のモードと第２のモードとのいずれかにモードを切換える切換手段と、予め定められた処理を実行するための処理実行手段と、処理実行手段が第１のモードで処理を実行して得られる第１の処理結果情報を記憶する第１記憶手段と、処理実行手段が第２のモードで処理を実行して得られる第２の処理結果情報を記憶する第２記憶手段と、第１のモードに切換えられているときは第１の処理結果情報を出力し、第２のモードに切換えられているときは第２の処理結果情報を出力する出力手段とを備える。
【００１８】
この局面に従えば、第１のモードで予め定められた処理が実行されて得られる第１の処理結果情報が記憶され、第２のモードで予め定められた処理が実行されて得られる第２の処理結果情報が記憶され、第１のモードに切換えられているときは第１の処理結果情報が出力され、第２のモードに切換えられているときは第２の処理結果情報が出力される。このため、同一の処理を実行させる場合であっても、モードを切り換える簡単な操作で処理結果を別々に記憶して、出力させることができる。その結果、使用環境に応じた情報を出力することが可能な携帯情報端末を提供することができる。
【発明を実施するための最良の形態】
【００１９】
以下、本発明の実施の形態について図面を参照して説明する。以下の説明では同一の部品には同一の符号を付してある。それらの名称および機能も同じである。したがってそれらについての詳細な説明は繰返さない。
【００２０】
図１は、本発明の実施の形態の１つにおける携帯電話機の外観を示す斜視図である。図１を参照して、携帯電話機１は、操作側部３と、表示側部２とを含む。操作側部３の内側面には、テンキーおよび通話キー等の操作キー１４と、マイク１３とが配置され、内側面に反対の外側面には後述するカメラ２４が配置される。表示側部２の内側面には、液晶表示装置（ＬＣＤ）１６と、第１スピーカ１１とが配置される。また、表示側部２の外側面には、第２スピーカ１２が配置される。なお、ここでは携帯電話機１がＬＣＤ１６を備える例を示すが、ＬＣＤ１６に代えて、有機ＥＬ（ＥｌｅｃｔｒｏＬｕｍｉｎｅｓｃｅｎｃｅ）ディスプレイを用いてもよい。
【００２１】
操作側部３と表示側部２とは、ヒンジ機構で回転可能に連結され、操作側部３と表示側部２とは開閉自在である。これにより、携帯電話機１は、クローズスタイルと、オープンスタイルとに状態を遷移することが可能である。クローズスタイルは、操作側部３の内側面と表示側部２の内側面とが向かい合う閉状態である。クローズスタイルは、ＬＣＤ１６と操作キー１４とが向かい合うため、操作キー１４とＬＣＤ１６とが外部と接触することがなく、外部の物に触れてユーザが意図しない操作が入力されたり破損したりするのが防止されるので、運搬に適したスタイルである。オープンスタイルは、操作側部３の内側面と表示側部２の内側面とが同じ方向を向き、ユーザが目視可能な開状態である。マイク１３とスピーカ１１とが同じ方向となるため通話するのに適した状態であり、また、ＬＣＤ１４と操作キー１４とが同じ方向となるためＬＣＤ１４を見ながら操作キー１４を操作するのに適したスタイルである。
【００２２】
図２は、本実施の形態における携帯電話機の機能の一例を示す機能ブロック図である。図２を参照して、携帯電話機１は、携帯電話機１の全体を制御するための制御部２１と、アンテナ２２Ａと接続された無線回路２２と、音声データを処理するためのコーデック部２８と、それぞれがコーデック部２８に接続されたマイク１３および第１スピーカ１１と、アンテナ２２Ａに接続されたチューナ２３と、ＡＶデコーダ２９と、カメラ２４と、ユーザの操作の入力を受付ける操作部２５と、ＬＣＤ１６の表示を制御するための表示制御部３０と、制御部２１で実行するプログラム等を記憶するためのＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、アドレス帳データ等を不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３３と、振動部２６と、カードインターフェース（Ｉ／Ｆ）２７と、ＵＳＢ（Ｕｎｉｖｅｒｓａｌ  Ｓｅｒｉａｌ  Ｂｕｓ）等の外部通信接続端子３４とを含む。
【００２３】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして第１スピーカ１１に出力する。また、コーデック部２８は、マイク１３からアナログの音声信号が入力され、音声信号をデジタルに変換し、符号化し、そして符号化した音声信号を無線回路２２に出力する。
【００２４】
チューナ２３は、アンテナ２２Ａに接続されており、アンテナ２２Ａにより受信された放送信号が入力される。放送信号は、映像データおよび音声データを含む高周波デジタル変調信号である。チューナ２３は、アンテナ２２Ａから入力される高周波デジタル変調信号から特定の周波数の信号を取り出す。また、チューナ２３は、逆インターリーブ回路、誤り訂正回路を備えており、取り出した特定の周波数の高周波デジタル変調信号を復調して可変長符号をＡＶデコーダ２９に出力する。ＡＶデコーダ２９は、ビデオデコーダおよびオーディオデコーダを備えており、チューナ２３から入力された可変長符号を復号して映像信号および音声信号を生成し、映像信号をＤ／Ａ（デジタル／アナログ）変換して表示制御部３０に出力し、音声信号をＤ／Ａ変換して第２スピーカ１２に出力する。なお、ここでは、デジタルテレビジョン放送の放送電波を受信して再生する例を示したが、アナログテレビジョン放送の放送電波を受信して再生するようにしてもよい。また、テレビジョン放送に代えて、または、テレビジョン放送に加えて、ラジオ放送の放送電波を受信して再生するようにしてもよい。
【００２５】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００２６】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１で実行するためのプログラムをＲＯＭ３１に記憶しておく例を説明するが、プログラムをフラッシュメモリ２７Ａに記憶しておき、フラッシュメモリ２７Ａからプログラムを読み出して、制御部２１で実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ
−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ、ＥＥＰＲＯＭなどの半導体メモリ等でもよい。また、携帯電話機１をインターネットに無線回路２２を介して接続し、インターネットに接続されたコンピュータからプログラムをダウンロードして、制御部２１で実行するようにしてもよい。ここでいうプログラムは、制御部２１が直接実行可能なプログラムだけでなく、ソースプログラム、圧縮処理されたプログラム、暗号化されたプログラム等を含む。
【００２７】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、光電変換した画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１６に表示させる、または、圧縮符号化方式で静止画データまたは動画データを符号化して、ＥＥＰＲＯＭ３４またはカードＩ／Ｆ２７に装着されたフラッシュメモリ２７Ａに記憶する。
【００２８】
操作部２５は、操作キー１４と、ランプ２５Ａとを含む。操作キー１４は、ユーザによる操作の入力を受け付け、受付けた操作を制御部２１に出力する。ランプ２５Ａは、制御部２１により制御されて発光する。
【００２９】
制御部２１は、操作キー１４から操作が入力されると、入力された操作に応じて処理を実行する。制御部２１は、ＲＯＭ３１に記憶されている複数のアプリケーションプログラムを読出して実行する。アプリケーションプログラムには、携帯電話機１をテレビまたはラジオとして機能させるためのアプリケーションプログラム、携帯電話機１をデジタルカメラまたはデジタルビデオカメラとして機能させるためのアプリケーションプログラム、携帯電話機１をオーディオ機器として機能させるためのアプリケーションプログラム、携帯電話機１をゲーム機として機能させるためのアプリケーションプログラム、携帯電話機１を外部機器と通信する通信機器として機能させるためのアプリケーションプログラム、ブラウジングプログラム、アドレス帳を編集するためのアプリケーションプログラム、電子メールを送受信するためのアプリケーションプログラム、通話料金を計算するアプリケーションプログラム等を含む。これらのアプリケーションプログラムは、Ｃ言語やＪＡＶＡ（登録商標）などのプログラム言語で記述されるが、アプリケーションプログラムが記述されるプログラム言語は、これらに限定されることなく、他のいかなるプログラム言語で記述されてもよい。また、複数のアプリケーションプログラムがＲＯＭ３１に記憶されて携帯電話機１に搭載されるが、複数のアプリケーションプログラムは、単一のプログラム言語で記述されたものであってもよいし、異なるプログラム言語で記述されたものであってもよい。すなわち、複数のプログラム言語で記述されたアプリケーションプログラムが混在してもよい。
【００３０】
制御部２１は、モード切換部５１を含む。モード切換部５１は、携帯電話機１の２種類のモードを切換える。第１の種類のモードの切換は、ビジネスモードとプライベートモードのいずれかへの切換であり、第２の種類のモードの切換は、マナーモードと通常モードとのいずれかへの切換である。制御部２１は、マナーモードに切り換えられると留守番電話機能を能動化し、通常モードに切り換えられると留守番電話機能を非能動化する。モード切換部５１は、第１の種類と第２の種類のモードを切換えることにより、携帯電話機１をビジネスモードかつ通常モード、ビジネスモードかつマナーモード、プライベートモードかつ通常モード、およびプライベートモードかつマナーモードの４つの状態のいずれかに遷移させる。モード切換部５１は、ユーザが操作キー１４のうち予め定められたキーを押下することにより、モード切換信号が入力される。モード切換部５１は、モード切換信号に従ってモードを切換える。操作キー１４は、第１の種類のモードを切換えるためのキーと、第２の種類のモードを切換えるためのキーとを備える。モード切換部５１は、第１の種類のモードを切換えるためのキーが押下されると、ビジネスモードにあるときはプライベートモードに切換え、プライベートモードにあるときはビジネスモードに切換える。また、モード切換部５１は、第２の種類のモードを切換えるためのキーが押下されると、通常モードにあるときはマナーモードに切換え、マナーモードにあるときは通常モードに切換える。
【００３１】
ＥＥＰＲＯＭ３３は、電話帳データと、スケジュールデータと、応答メッセージと、応答拒否メッセージと、アプリケーションプログラムを実行した結果得られるデータとを記憶する。制御部２１は、上述したアプリケーションプログラムを実行するが、マナーモードに切り換えられているときと、ビジネスモードに切り換えられているときとで、アプリケーションプログラムを実行して出力するデータを、ＥＥＰＲＯＭ２３の異なる領域に記憶する。アプリケーションプログラムを実行した結果得られるデータは、例えば、通話料金を計算するアプリケーションプログラムを実行する場合には、通話料金である。ＥＥＰＲＯＭ３３は、ビジネス用の通話料金を記憶するための領域と、プライベート用の通話料金を記憶するための領域とを含み、通話料金データをビジネスモードの場合とプライベートモードの場合とで別々に記憶する。
【００３２】
図３は、電話帳データのフォーマットの一例を示す図である。図３を参照して、電話帳データは、通信先を特定するための氏名と、通信先の電話番号と、通信先の電子メールアドレスと、区分とを含む。区分は、電話帳データが、プライベート連絡先か、ビジネス連絡先かを区別するための情報である。図４は、スケジュールデータのフォーマットの一例を示す図である。図４を参照して、スケジュールデータは、年月日と、時刻と、音声データと、文字データと、区分とを含む。文字データは、年月日および時刻に予定される、または、既に行われた事象を表すテキストであり、ユーザが操作キー１４を操作することにより入力される。音声データは、年月日および時刻に予定される、または、既に行われた事象を表すために、ユーザがマイク１３から入力した音声を電気信号に変換したデータである。音声は、テキストデータを読み上げたものであってもよい。区分は、スケジュールデータが、プライベート用のスケジュールデータであるか、ビジネス用のスケジュールデータであるかを区別するための識別情報である。
【００３３】
図５は、応答メッセージデータの一例を示す図である。図５を参照して、応答メッセージデータは、ビジネスモードおよびマナーモードに関連付けられた第１応答メッセージと、プライベートモードおよびマナーモードに関連付けられた第２応答メッセージと、ビジネスモードおよび通常モードに関連付けられた第１拒否応答メッセージと、プライベートモードおよび通常モードに関連付けられた第２拒否応答メッセージとを含む。第１応答メッセージは、携帯電話機１がビジネスモードおよびマナーモードに設定されているときに、着呼に応答した際に再生するための応答メッセージである。第２応答メッセージは、携帯電話機１がプライベートモードおよびマナーモードに設定されているときに、着呼に応答した際に再生するための応答メッセージである。第１拒否応答メッセージは、携帯電話機１がビジネスモードおよび通常モードに設定されているときに、プライベート連絡先の電話番号が割り当てられた電話機からの着呼に応答する際に再生するための応答メッセージである。第２拒否応答メッセージは、携帯電話機１がプライベートモードおよび通常モードに設定されているときに、ビジネス連絡先の電話番号が割り当てられた電話機からの着呼に応答する際に再生するための応答メッセージである。
【００３４】
図６〜図１０は、着信処理の流れの一例を示すフローチャートである。着信処理は、制御部２１がＲＯＭ３１に記憶された着信プログラムを実行することにより、制御部２１により実行される処理である。図６〜図１０を参照して、制御部２１は、着呼を検出するまで待機状態となっており（ステップＳ０１でＮＯ）、着呼を検出すると処理をステップＳ０２に進める。すなわち、着信処理は、着呼があることを条件に実行される処理である。ステップＳ０２において、携帯電話機１がマナーモードに設定されているか否かを判断する。携帯電話機１がマナーモードに設定されていれば処理をステップＳ０３に進め、マナーモードでなく通常モードに設定されていれば処理をステップＳ０９に進める。
【００３５】
ステップＳ０３において、ステップＳ０１で検出した着呼に応答する。これにより、発呼した電話機との間で回線が接続されて、通話が可能な状態となる。ステップＳ０４において、携帯電話機１がビジネスモードに設定されているか否かを判断する。携帯電話機１がビジネスモードに設定されていれば処理をステップＳ０５に進め、ビジネスモードでなくプライベートモードに設定されていれば処理をステップＳ０６に進める。ステップＳ０５においては、第１応答メッセージを再生し、処理をステップＳ０７に進める。ステップＳ０６においては第２応答メッセージを再生し、処理をステップＳ０７に進める。第１応答メッセージは、マナーモードかつビジネスモードに関連付けてＥＥＰＲＯＭ３３に予め記憶される。ユーザがマイク１３から音声を入力するようにして、その音声を記憶するようにしてもよい。第１応答メッセージは、ビジネス用の文体の留守番メッセージである。第２応答メッセージは、マナーモードかつプライベートモードに関連付けてＥＥＰＲＯＭ３３に予め記憶される。ユーザがマイク１３から音声を入力するようにして、その音声を記憶するようにしてもよい。第２応答メッセージは、プライベート用の文体の留守番メッセージである。
【００３６】
ステップＳ０７では、通話の相手の音声を録音する。そして、通話が終了したか否かを判断し、通話が終了したならば処理をステップＳ３０に進め、終了していなければ録音を継続するために処理をステップＳ０７に戻す。通話を終了させるのは、予め定められた時間が経過した時、または、回線が切断された時のいずれか早い時である。
【００３７】
ステップＳ３０において、通話料金を計算する。通話時間と、予め定められた単位時間当たりの通話料金とから通話料金を計算する。また、ネットワーク網から通話料金を受信するようにしてもよい。そして、携帯電話機１がビジネスモードに設定されているか否かを判断し（ステップＳ３１）、ビジネスモードに設定されていれば処理をステップＳ３２に進め、ビジネスモードでなくプライベートモードに設定されていれば処理をステップＳ３３に進める。ステップＳ３２では、計算した通話料金を、ＥＥＰＲＯＭ３３のビジネス用の領域に記憶する。なお、積算料金を記憶する場合には、通話料金とそれまで記憶されていた積算料金とから新たな積算料金を算出して、積算料金を更新する。ステップＳ３３では、計算した通話料金を、ＥＥＰＲＯＭ３３のプライベート用の領域に記憶する。なお、積算料金を記憶する場合には、通話料金とそれまで記憶されていた積算料金とから新たな積算料金を算出して、積算料金を更新する。
【００３８】
このように、携帯電話機１がビジネスモードに設定されている場合の通話に課金される通話料金と、携帯電話機１がプライベートモードに設定されている場合の通話に課金される通話料金とが別々に記憶される。
【００３９】
一方、処理をステップＳ０９に進める場合は、携帯電話機１が通常モードに設定されている場合であり、ステップＳ０９においては、携帯電話機１がビジネスモードに設定されているか否かを判断する。携帯電話機１がビジネスモードに設定されているならば処理をステップＳ１０に進め、ビジネスモードでなくプライベートモードに設定されているならば処理をステップＳ２０に進める。
【００４０】
ステップＳ１０において、ステップＳ０１で検出した着呼とともに受信する電話番号がプライベート連絡先か否かを判断する。プライベート連絡先に登録されている電話番号が割当てられた電話機からの着呼であれば処理をステップＳ１１に進め、そうでなければ処理をステップＳ１５に進める。処理をステップＳ１１に進める場合には、着信音を出力またはバイブレータの駆動などの着信動作を行わないのが好ましい。これにより、ビジネスモードに設定されている場合に、プライベート連絡先に登録されている電話番号が割り当てられた電話機からの着呼を、ユーザに知らせないようにすることができる。一方、処理をステップＳ１５に進める場合には、着信動作をしてユーザに着呼があったことを報知する。
【００４１】
ステップＳ１１においては、ステップＳ０１で検出した着呼に応答する。これにより、発呼した電話機との間で回線が接続されて、通話が可能な状態となる。そして、ステップＳ１２において、第１拒否応答メッセージを再生し、処理をステップＳ１３に進める。第１拒否応答メッセージは、通常モードかつビジネスモードに関連付けてＥＥＰＲＯＭ３３に予め記憶されている。ユーザがマイク１３から音声を入力するようにして、その音声を記憶するようにしてもよい。第１拒否応答メッセージは、プライベート用の文体で業務中であるため電話に応答することができないことを知らせるメッセージ等である。
【００４２】
ステップＳ１３において、通話の相手の音声を録音する。この際、通話の相手の音声を、第１スピーカ１１または第２スピーカ１２から出力しない。ビジネスモードに設定されている場合に、プライベート連絡先に登録されている電話番号が割り当てられた電話機のユーザとの通話を、ユーザに知らせないようにするためである。そして、通話が終了したか否かを判断し、通話が終了したならば処理をステップＳ３０に進め、終了していなければ録音を継続するために処理をステップＳ１３に戻す。
【００４３】
ステップＳ１５においては、応答指示を受け付けたか否かを判断する。ユーザが操作キー１４の通話ボタンを押下する応答指示の入力操作を検出したならば処理をステップＳ１６に進め、検出しなければ処理をステップＳ１９に進める。ステップＳ１６では、着呼に応答する。応答と同時に着信動作を停止させる。ステップＳ１６で応答することにより、発呼した電話機との間で通話が可能となる（ステップＳ１７）。ステップＳ１８では、通話が終了したか否かを判断し、通話が終了したならば処理をステップＳ３０に進め、通話が終了していなければ通話を継続するために処理をステップＳ１７に戻す。一方、ステップＳ１９では、着呼が終了したか否かを判断し、着呼が終了したならば処理をステップＳ３０に進め、着呼が終了していなければ処理をステップＳ１５に戻す。
【００４４】
ステップＳ２０において、ステップＳ０１で検出した着呼とともに受信する電話番号がビジネス連絡先か否かを判断する。ビジネス連絡先に登録されている電話番号が割当てられた電話機からの着呼であれば処理をステップＳ２１に進め、そうでなければ処理をステップＳ２５に進める。処理をステップＳ２１に進める場合には、着信音を出力する、またはバイブレータを駆動する等の着信動作を行わないのが好ましい。これにより、プライベートモードに設定されている場合に、ビジネス連絡先に登録されている電話番号が割り当てられた電話機からの着呼を、ユーザに知らせないようにすることができる。一方、処理をステップＳ２５に進める場合には、着信動作をしてユーザに着呼があったことを報知する。
【００４５】
ステップＳ２１においては、ステップＳ０１で検出した着呼に応答する。これにより、発呼した電話機との間で回線が接続されて、通話が可能な状態となる。そして、ステップＳ２２において、第２拒否応答メッセージを再生し、処理をステップＳ２３に進める。第２拒否応答メッセージは、通常モードかつプライベートモードに関連付けてＥＥＰＲＯＭ３３に予め記憶される。ユーザがマイク１３から音声を入力するようにして、その音声を記憶するようにしてもよい。第２拒否応答メッセージは、ビジネス用の文体で業務時間外であるため電話に応答することができないことを知らせるメッセージ等を含む。
【００４６】
ステップＳ２３において、通話の相手の音声を録音する。この際、通話の相手の音声を、第１スピーカ１１または第２スピーカ１２から出力しない。プライベートモードに設定されている場合に、ビジネス連絡先に登録されている電話番号が割り当てられた電話機のユーザとの通話を、ユーザに知らせないようにするためである。そして、通話が終了したか否かを判断し、通話が終了したならば処理をステップＳ３０に進め、終了していなければ録音を継続するために処理をステップＳ２３に戻す。
【００４７】
ステップＳ２５においては、応答指示を受け付けたか否かを判断する。ユーザが操作キー１４の通話ボタンを押下する応答指示の入力操作を検出したならば処理をステップＳ２６に進め、検出しなければ処理をステップＳ２９に進める。ステップＳ２６では、着呼に応答する。なお、応答と同時に着信動作を停止させる。ステップＳ２６で応答することにより、発呼した電話機との間で通話が可能となる（ステップＳ２７）。ステップＳ２８では、通話が終了したか否かを判断し、通話が終了したならば処理をステップＳ３０に進め、通話が終了していなければ通話を継続するために処理をステップＳ２７に戻す。一方、ステップＳ２９では、着呼が終了したか否かを判断し、着呼が終了したならば処理をステップＳ３０に進め、着呼が終了していなければ処理をステップＳ２５に戻す。
【００４８】
このように、携帯電話機１がマナーモードに設定されている場合に着呼があると、留守番電話機能が有効になって、応答メッセージを再生するが、携帯電話機１がビジネスモードに設定されていれば第１応答メッセージを再生し、携帯電話機１がプライベートモードに設定されていれば第２応答メッセージを再生する。ビジネスモードとプライベートモードとで、応答メッセージを異ならせることができるので、１台の携帯電話機を、業務と業務外とで公私混同することなく使い分けすることができる。
【００４９】
また、携帯電話機１が通常モードかつビジネスモードに設定されている場合に、プライベート連絡先に区分された電話番号の電話機からの着呼があると、着信報知することなく留守番電話機能が有効とされる。このため、ユーザが業務時間中にプライベートな通話をするのを防止することができ、業務の効率化を図ることができる。
【００５０】
また、携帯電話機１が通常モードかつプライベートモードに設定されている場合に、ビジネス連絡先に区分された電話番号の電話機からの着呼があると、着信報知することなく留守番電話機能が能動化される。このため、ユーザが業務時間外に業務に関連する通話をするのを防止することができる。このため、業務時間外において、ユーザに業務を思い出させることなく、ユーザをリラックスした気分にすることができる。
【００５１】
さらに、留守番電話機能が能動化される場合に、携帯電話機１がビジネスモードに設定されている場合には、第１拒否応答メッセージが再生され、携帯電話機１がプライベートモードに設定されている場合には、第２拒否応答メッセージが再生される。ビジネスモードとプライベートモードとで、拒否応答メッセージを異ならせることができるので、１台の携帯電話機１を、業務と業務外とで公私混同することなく使い分けすることができる。
【００５２】
図９は、電話帳入力処理の流れの一例を示すフローチャートである。電話帳入力処理は、制御部２１が電話帳入力プログラムを実行することにより、制御部２１により実行される処理である。図９を参照して、制御部２１は、氏名を受け付けたか否かを判断する（ステップＳ４１）。ユーザが操作キー１４を操作することにより、操作部２５に氏名が入力され、制御部２１は操作部２５から入力された氏名を受け付ける。そして、電話番号または電子メールアドレスを受け付けたか否かを判断する（ステップＳ４２）。電話番号または電子メールアドレスは、指名と同様に操作部２５から受け付ける。また、受信した電子メールから電話番号または電子メールアドレスを登録する操作により、受信した電子メールから電話番号または電子メールアドレスを読み出して、それを受け付けるようにしてもよい。そして、氏名と、電話番号または／および電子メールアドレスとから電話帳データを生成する（ステップＳ４３）。さらに、区分を受け付けるまで待機状態となり（ステップＳ４４でＮＯ）、区分を受け付けたならば処理をステップＳ４５に進める。区分は、プライベートおよびビジネスのいずれかを区別するための識別情報である。ステップＳ４５において、ステップＳ４３において生成した電話帳データに、ステップＳ４４において受け付けた区分を追加して、ＥＥＰＲＯＭ３３に電話帳データを記憶する。
【００５３】
図１０は、電話帳出力処理の流れの一例を示すフローチャートである。電話帳出力処理は、制御部２１が電話帳出力プログラムを実行することにより、制御部２１により実行される処理である。電話帳出力処理は、ユーザが電話帳データを出力する指示を操作部２５に入力すると、制御部２１がその出力指示を受け付け、実行する処理である。図１０を参照して、制御部２１は、携帯電話機１がビジネスモードに設定されているか否かを判断する（ステップＳ５１）。携帯電話機１がビジネスモードに設定されているならば処理をステップＳ５２に進め、ビジネスモードでなくプライベートモードに設定されているならば処理をステップＳ５４に進める。ステップＳ５２において、ＥＥＰＲＯＭ３３から電話帳データの区分を参照して、ビジネス連絡先の電話帳データを抽出する。そして、抽出したビジネス連絡先に区分された電話帳データを表示する（ステップＳ５３）。一方、ステップＳ５４において、ＥＥＰＲＯＭ３３から電話帳データの区分を参照して、プライベート連絡先の電話帳データを抽出する。そして、抽出したプライベート連絡先に区分された電話帳データを表示する（ステップＳ５５）。
【００５４】
このように、携帯電話機１がビジネスモードに設定されている場合に、電話帳データを表示させると、ビジネス連絡先に区分された電話帳データのみが表示されるので、業務中に業務に関連しない電話帳データを表示しないようにして、業務の効率化を図ることができる。また、携帯電話機１がプライベートモードに設定されている場合に、電話帳データを表示させると、プライベート連絡先に区分された電話帳データのみが表示されるので、業務時間外において、業務に関連する電話帳データを表示しないようにして、ユーザに業務を思い出させることなく、ユーザをリラックスした気分にすることができる。このため、１台の携帯電話機を、業務と業務外とで公私混同することなく使い分けすることができる。
【００５５】
図１１は、スケジュール入力処理の流れの一例を示すフローチャートである。スケジュール入力処理は、制御部２１がスケジュール入力プログラムを実行することにより、制御部２１により実行される処理である。図１１を参照して、制御部２１は、年月日と時刻を受け付けたか否かを判断する（ステップＳ６１）。ユーザが操作キー１４を操作することにより、操作部２５に年月日と時刻とが入力され、制御部２１は操作部２５から入力された年月日と時刻とを受け付ける。なお、ＬＣＤ１６にカレンダーを表示して、ユーザがカレンダーから年月日を指定するようにしてもよい。そして、文字データまたは音声データを受け付けたか否かを判断する（ステップＳ６２）。文字データは、ユーザが操作キー１４を操作することにより、操作部２５に入力され、制御部２１は操作部２５から入力された文字データを受け付ける。音声データは、ユーザがマイク１３に音声を入力すると、制御部２１は、マイク１３から音声を電気信号に変換した音声データを受け付ける。そして、年月日および時刻と、氏名と、文字データまたは／および音声データとからスケジュールデータを生成する（ステップＳ６３）。さらに、区分を受け付けるまで待機状態となり（ステップＳ６４でＮＯ）、区分を受け付けたならば処理をステップＳ６５に進める。区分は、スケジュールデータをプライベートおよびビジネスのいずれであるかを区別するための識別情報である。ステップＳ６５において、ステップＳ６３において生成したスケジュールデータに、ステップＳ６４において受け付けた区分を追加して、ＥＥＰＲＯＭ３３にスケジュールデータを記憶する。
【００５６】
図１２は、スケジュール出力処理の流れの一例を示すフローチャートである。スケジュール出力処理は、制御部２１がスケジュール出力プログラムを実行することにより、制御部２１により実行される処理である。スケジュール出力処理は、ユーザがスケジュールデータを出力する指示を操作部２５に入力すると、制御部２１がその出力指示を受け付け、実行する処理である。図１２を参照して、制御部２１は、携帯電話機１がビジネスモードに設定されているか否かを判断する（ステップＳ７１）。携帯電話機１がビジネスモードに設定されているならば処理をステップＳ７２に進め、ビジネスモードでなくプライベートモードに設定されているならば処理をステップＳ７４に進める。ステップＳ７２において、ＥＥＰＲＯＭ３３からスケジュールデータの区分を参照して、ビジネス用のスケジュールデータを抽出する。そして、抽出したビジネス用のスケジュールデータに含まれる文字データをＬＣＤ１６に表示し、抽出したビジネス用のスケジュールデータに含まれる音声データを再生して出力する（ステップＳ７３）。
【００５７】
一方、ステップＳ７４において、ＥＥＰＲＯＭ３３からスケジュールデータの区分を参照して、プライベート用のスケジュールデータを抽出する。そして、抽出したプライベート用のスケジュールデータに含まれる文字データをＬＣＤ１６に表示し、抽出したプライベート用のスケジュールデータに含まれる音声データを再生して出力する（ステップＳ７５）。スケジュールデータの音声データを、第１スピーカ１１または第２スピーカ１２から出力する。また、携帯電話機１にイヤホンを接続する場合には、スケジュールデータの音声データを第１スピーカ１１または第２スピーカ１２から出力することなく、イヤホンに出力する。
【００５８】
このように、携帯電話機１がビジネスモードに設定されている場合に、スケジュールデータを出力させると、ビジネス用に区分されたスケジュールデータのみが出力されるので、業務中に業務に関連しないスケジュールデータを出力しないようにして、業務の効率化を図ることができる。また、携帯電話機１がプライベートモードに設定されている場合に、スケジュールデータを出力させると、プライベート連絡先に区分されたスケジュールデータのみが出力されるので、業務時間外に業務に関連するスケジュールデータを出力しないようにして、ユーザに業務時間外において業務を思い出させることなく、ユーザをリラックスした気分にすることができる。このため、１台の携帯電話機１を、業務と業務外とで公私混同することなく使い分けすることができる。
【００５９】
また、スケジュールデータに含まれる音声データを再生して第１スピーカまたは第２スピーカから出力するので、スケジュールを音声で確認することができる。このため、他の作業をしながらスケジュールを確認することができる。また、電車の中など公共の場所でスケジュールを確認したい場合など、イヤホンを携帯電話機１に装着すれば、スケジュールを他人に知られることなく、確認することができる。
【００６０】
図１３は、通話料金出力処理の流れの一例を示すフローチャートである。通話料金出力処理は、制御部２１が通話料金出力プログラムを実行することにより、制御部２１により実行される処理である。通話料金出力処理は、ユーザが通話料金を出力する指示を操作部２５に入力すると、制御部２１がその出力指示を受け付け、実行する処理である。図１３を参照して、制御部２１は、携帯電話機１がビジネスモードに設定されているか否かを判断する（ステップＳ８１）。携帯電話機１がビジネスモードに設定されているならば処理をステップＳ８２に進め、ビジネスモードでなくプライベートモードに設定されているならば処理をステップＳ８４に進める。ステップＳ８２において、ＥＥＰＲＯＭ３３のビジネス用の領域に記憶されている通話料金を読み出す。そして、読み出したビジネス用の通話領域を表示する（ステップＳ８３）。一方、ステップＳ８４において、ＥＥＰＲＯＭ３３のプライベート用の領域に記憶されている通話料金を読み出す。そして、読み出したプライベート用の通話領域を表示する（ステップＳ８５）。
【００６１】
このように、携帯電話機１がビジネスモードに設定されている場合に、通話料金を表示させると、ビジネスモードに設定されているときの通話に課金される通話料金のみを表示させることができる。また、携帯電話機１がプライベートモードに設定されている場合に、通話料金を表示させると、プライベートモードに設定されているときの通話に課金される通話料金のみを表示さることができる。このため、業務中にした通話に課金される通話料金と、業務外にした通話料金とを別々に管理することができるので、１台の携帯電話機を、業務と業務外とで公私混同することなく使い分けすることができる。
【００６２】
なお、上述した実施の形態においては携帯電話機１について説明したが、図６〜図１３に示した処理を携帯電話機１に実行させるためのデータ出力方法または、コンピュータに実行させるためのデータ出力プログラムとして発明を捉えることができるのは言うまでもない。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６４】
＜付記＞
上述した実施の形態における携帯電話機には、次の発明概念が含まれる。
（１）  応答手段は、留守番電話機能が能動化されているときに応答する、請求項２に記載の携帯情報端末。
（２）  応答手段は、留守番電話機能が非能動化されている場合において、第１のモードに切換えられているときは、第２のモードに関連付けられた通信先情報を含む着呼が検出された場合に応答し、第２のモードに切換えられているときは、第１のモードに関連付けられた通信先情報を含む着呼が検出された場合に応答する、請求項３に記載の携帯情報端末。
（３）  記憶手段は、通信相手の通信先情報を少なくとも含む複数の電話帳データそれぞれを第１のモードおよび第２のモードのいずれかと関連付けて記憶する電話帳データ記憶手段を含み、
出力手段は、第１のモードに切換えられているときは複数の電話帳データのうち第１のモードに関連付けられた電話帳データを表示し、第２のモードに切換えられているときは複数の電話帳データのうち第２のモードに関連付けられた電話帳データを表示する表示手段を含む、請求項１に記載の携帯情報端末。
（４）  記憶手段は、日時情報と事象とを関連付けた複数のスケジュールデータそれぞれを第１のモードおよび第２のモードのいずれかと関連付けて記憶するスケジュール記憶手段を含み、
出力手段は、第１のモードに切換えられているときは複数のスケジュールデータのうち第１のモードに関連付けられたスケジュールデータを表示し、第２のモードに切換えられているときは複数のスケジュールデータのうち第２のモードに関連付けられたスケジュールデータを表示する表示手段を含む、請求項１に記載の携帯情報端末。
（５）  処理実行手段は、通信先との間で通話を確立する通信手段と、
通信手段が第１のモードで通話を確立している間の第１通信料金を取得する第１料金取得手段と、
通信手段が第２のモードで通話を確立している間の第２通信料金を取得する第２料金取得手段と、を含み、
第１記憶手段は、第１料金取得手段が取得する第１通信料金を記憶し、
第２記憶手段は、第２料金取得手段が取得する第２通信料金を記憶する、請求項７に記載の携帯情報端末。
【図面の簡単な説明】
【００６５】
【図１】本発明の実施の形態の１つにおける携帯電話機の外観を示す斜視図である。
【図２】本実施の形態における携帯電話機の機能の一例を示す機能ブロック図である。
【図３】電話帳データのフォーマットの一例を示す図である。
【図４】スケジュールデータのフォーマットの一例を示す図である。
【図５】応答メッセージデータの一例を示す図である。
【図６】着信処理の流れの一例を示す第１のフローチャートである。
【図７】着信処理の流れの一例を示す第２のフローチャートである。
【図８】着信処理の流れの一例を示す第３のフローチャートである。
【図９】電話帳入力処理の流れの一例を示すフローチャートである。
【図１０】電話帳出力処理の流れの一例を示すフローチャートである。
【図１１】スケジュール入力処理の流れの一例を示すフローチャートである。
【図１２】スケジュール出力処理の流れの一例を示すフローチャートである。
【図１３】通話料金出力処理の流れの一例を示すフローチャートである。
【符号の説明】
【００６６】
１  携帯電話機、２  表示側部、３  操作側部、１１  第１スピーカ、１２  第２スピーカ、１３  マイク、１４  操作キー、２１  制御部、２２  無線回路、２２Ａ  アンテナ、２３  チューナ、２４  カメラ、２５  操作部、２５Ａ  ランプ、２６  振動部、２７  カードＩ／Ｆ、２７Ａ  フラッシュメモリ、２８  コーデック部、２９  ＡＶデコーダ、３０  表示制御部、３１  ＲＯＭ、３２  ＲＡＭ、３３  ＥＥＰＲＯＭ、３４  外部通信接続端子、５１  モード切換部。
【図１】
2007266982.tif 000003
【図２】
2007266982.tif 000004
【図３】
2007266982.tif 000005
【図４】
2007266982.tif 000006
【図５】
2007266982.tif 000007
【図６】
2007266982.tif 000008
【図７】
2007266982.tif 000009
【図８】
2007266982.tif 000010
【図９】
2007266982.tif 000011
【図１０】
2007266982.tif 000012
【図１１】
2007266982.tif 000013
【図１２】
2007266982.tif 000014
【図１３】
2007266982.tif 000015